(57)【要約】【課題】携帯電話機等の携帯端末が自機の置かれている状況を判断して着信報知手段をバイブレータ振動とするか他の振動を伴わない着信報知手段とするか選択できるようにした携帯端末を提供すること。【解決手段】携帯端末は、携帯端末に着信時の報知手段として振動による報知手段と視覚に訴える視覚的報知手段を設け、該携帯端末の動きを感知する動きセンサを設け、着信時に、上記センサが該携帯端末の静止状態を検出し、かつ、当該端末の傾きが予め設定した傾きと等しい範囲内の状態を検出している場合、前記振動による報知手段に代えて視覚に訴える手段により報知させる構成を有する。【選択図】図１
2008092164.tif 000002
【特許請求の範囲】
【請求項１】
携帯端末に、着信時の報知手段として振動による報知手段と、視覚に訴える視覚的報知手段と、該携帯端末の動きを感知する動きセンサを設け、着信時に、上記センサが該携帯端末の静止状態を検出し、かつ、当該端末の傾きが予め設定した傾きと等しい範囲内の状態を検出している場合、前記振動による報知手段に代えて前記視覚に訴える視覚的報知手段により報知することを特徴とする携帯端末。
【請求項２】
上記視覚的報知手段が、発光表示手段であることを特徴とする請求項１に記載の形態端末。
【請求項３】
上記視覚的報知手段が、凸状態と凹状態に状態を変化させるボタンであることを特徴とする請求項１に記載の形態端末。
【請求項４】
前記予め設定した傾きは、携帯電話を置く机の傾きであることを特徴とする請求項１記載の携帯端末。
【請求項５】
前記予め設定した傾きは、携帯端末が置かれる状態の傾きであることを特徴とする請求項１に記載の携帯端末。
【請求項６】
前記予め設定した傾きは、操作キーを押圧しながら、携帯端末を所望の場所に置き、その状態で、操作キーの押圧を解除し、その置いた状態の傾きを動きセンサの検出値として設定した傾きとしたことを特徴とする請求項１乃至５のいずれか１項記載の携帯端末。
【発明の詳細な説明】
【技術分野】
【０００１】
本発明は、振動手段を含めた複数種類の着信報知手段を備えた携帯電話機等の携帯端末に関する。
【背景技術】
【０００２】
近年、携帯電話機等の携帯端末が普及しており、さまざまな状況、場所で一般的に利用されている。
この携帯電話機には着信の報知に対しマナーモード機能が一般的に実装されている。具体的には、マナーモード設定されている状態での着信の際、リンガー音鳴動以外の手段により使用者に着信報知を行う。
【０００３】
マナーモード状態での着信報知手段としては、バイブレータの振動を利用するものが一般的であり、バイブレータ振動により携帯電話機の所有者に着信を報知するが、リンガー音を鳴動させないことにより、周りにいる人に騒音の迷惑をかけないようにしている。
しかし、机の上に携帯電話が置かれていた場合、バイブレータの振動により携帯が机の上をはねたりして、大きな振動音が発生し、周りに騒音による迷惑をかけてしまうという問題が生じる。
【０００４】
この問題を解決することを目的とした技術として特許文献１がある。この特許文献１では、携帯電話機が移動している状態を検出し、移動中には振動により報知するが、静止状態にあるときは振動による着信報知を行わない手段がとられている。
これにより、携帯電話機が机の上に置かれた場合、着信報知時のバイブレータ振動によって携帯電話機が机の上をはねるときに発生する音でまわりに２次的な騒音を発生し、迷惑をかけないようにしょうとするものである。
【特許文献１】特開２００２−３１９９９７号公報
【発明の開示】
【発明が解決しようとする課題】
【０００５】
しかし、携帯電話機が机の上に置かれていないが静止している場合、例えば、使用者が静止状態（携帯電話機の移動検出手段が移動を検出しない状態）で身につけている場合など、振動報知が必要な状況であるにもかかわらず、振動による報知がなされないという問題が発生している。この問題は携帯電話機のみならず広く同様の機能を備える携帯端末全体にいえる。
【０００６】
本発明の目的は、上記問題点に鑑み、携帯電話機等の携帯端末が自機の置かれている状況を判断して着信報知手段をバイブレータ振動手段から他の振動を伴わない着信報知手段に変更するようにした携帯端末を提供することにある。
【課題を解決するための手段】
【０００７】
上記課題を解決するために、本発明の第１の技術手段は、携帯端末に、着信時の報知手段として振動による報知手段と、視覚に訴える視覚的報知手段と、該携帯端末の動きを感知する動きセンサを設け、着信時に、上記センサが該携帯端末の静止状態を検出し、かつ、当該端末の傾きが予め設定した傾きと等しい範囲内の状態を検出している場合、前記振動による報知手段に代えて前記視覚に訴える視覚的報知手段により報知することを特徴としたものである。
【０００８】
第２の技術手段は、第１の技術手段において、上記視覚的報知手段が、発光表示手段であることを特徴としたものである。
【０００９】
第３の技術手段は、第１の技術手段において、上記視覚的報知手段が、凸状態と凹状態に状態を変化させるボタンであることを特徴としたものである。
【００１０】
第４の技術手段は、第１の技術手段において、前記予め設定した傾きは、携帯電話を置く机の傾きであることを特徴としたものである。
【００１１】
第５の技術手段は、第１の技術手段において、前記予め設定した傾きは、携帯端末が置かれる状態の傾きであることを特徴としたものである。
【００１２】
第６の技術手段は、第１乃至第５のいずれかの技術手段において、前記予め設定した傾きは、操作キーを押圧しながら、携帯端末を所望の場所に置き、その状態で、操作キーの押圧を解除し、その置いた状態の傾きを動きセンサの検出値として設定した傾きとしたことを特徴としたものである。
【発明の効果】
【００１３】
本発明の携帯端末は、携帯端末が静止状態で且つその傾きが予め設定した傾きと等しい範囲内の状態を検出しているとき、振動による報知手段に代えて視覚に訴える手段により報知するようにしたので、携帯端末が静止して机の上にあるとき等や予め設定した傾き角度範囲内にあるときには視覚に訴える手段により報知し、携帯端末を鞄の中に入れて携行しているとき等には振動による報知手段が働き、適切な着信報知が行えるようになる。
【発明を実施するための最良の形態】
【００１４】
以下、本発明の実施の形態を図に基づいて詳細に説明する。実施の形態は、携帯端末の代表である携帯電話機の例について説明する。
【００１５】
図１は、本発明の実施例に係る携帯電話機の着信報知系のブロック図である。
図１に示すように、アンテナ１に無線部２が接続され、無線部２に制御部３が接続されている。無線部２は、着信信号および送信信号の送受信を行う。
制御部３は、テーブルを備えた記憶手段と信号処理手段、例えば、ＤＳＰ（デジタルシグナルプロセッサ）やマイクロプロセッサ等により構成され、音声再生用のスピーカ４、バイブレータ５、携帯電話機の動きを検出する動き検出部６、表示部７、メンブレンスイッチ等からなる操作部８、および視覚的報知部９と接続し、制御している。ＬＣＤ等の発光を伴う表示素子等を用いた表示部７は携帯電話機内の機能設定等のための操作画面やメッセージ作成画面を表示する。操作部８は、機能設定、メッセージ作成、発呼操作等を行う。また、携帯端末を任意の傾き常体で置く場合等にその状態の傾きを予め設定する際にも操作する。バイブレータ５は着信を振動で報知するための装置である。
【００１６】
動き検出部６は、携帯電話機の移動状態を検出するための加速度センサと、携帯電話機の筺体の水平からの角度を検出する地磁気センサを含む６軸センサと、そのセンサの検出信号を制御部３での信号処理に適した形式に変換する信号処理手段とを備える。携帯電話機において、６軸センサは、筺体内に内蔵されていて、筺体の表面および裏面に沿う面内にＸ軸およびＹ軸が定義され、表面および裏面に垂直な方向にＺ軸が定義されている。
加速度センサ（図示省略）は、携帯電話機が動いたか否か、すなわち、静止しているか否かを検出するために、携帯電話機に対して所定の方向に加えられた加速度の検出結果をＡｘ、Ａｙ、Ａｚ方向の検出値として出力する。このＡｘ、Ａｙ、Ａｚ方向の検出値を制御部３の記憶手段に記憶する。
地磁気センサ（図示省略）は、筺体のＸ軸方向、Ｙ軸方向およびＺ方向の地磁気を検出できるセンサで、それぞれの方向の地磁気成分の検出結果を、Ｂｘ、Ｂｙ、Ｂｚの検出値として出力する。
【００１７】
図３は動きセンサで検出できる携帯電話機の動きを説明する図である。
携帯電話機は、図３に示すように、上記動きセンサの内蔵により、静止状態を動きセンサの加速度センサ部で検出し、傾きを動きセンサの地磁気センサ部で検出する。動きセンサは、図３に示すように、矢印Ａｘ、Ａｙ、Ａｚの３軸方向の平行移動と、Ｂｘ、Ｂｙ、Ｂｚの３方向の回転の傾きを感知する。この動きの感知により、携帯電話機の置かれている状況や動きが検出できる。机の上に普通に置かれている時には、動きセンサの傾き角度が水平から例えば±数度の範囲に収まる。机の上に側面を接するようにして立てておいた場合には、動きセンサの傾き角度が水平から例えば９０度近辺の所定幅内に収まる。充電用のアダプタに装着した場合には、動きセンサは傾き角度が水平から所定角度近辺の所定幅内に収まる。
【００１８】
制御部３は、動き検出部６の加速度の検出値に基づいて、携帯電話機が動いているか否かを判断する。
また、動き検出部６の地磁気成分の検出値に基づいて、携帯電話機の傾きを判断する。傾きは机の上に置かれた状態に相当する。水平からの傾きの範囲（Ｂｚ軸方向の値  ±数度範囲）と、意識的に角度を付けて置いた状態（多軸方向  （Ｂｘ軸方向の値、Ｂｙ軸方向の値、Ｂｚ軸方向の値））に相当する傾きの範囲になる。
【００１９】
視覚的報知部９は、ボタン表示部９1や発光表示部９2からなり、基本的には任意の数設けることができ、場所も任意に選択できる。
この視覚的報知部９は、筺体の通常机に接する表面だけでなく、筺体の側面部分に設けると、通常、携帯電話機が机の上に置かれても、隠れてしまう可能性が少ないので、前記広い面積部分に設けるのに対し表示の効果が高い。
また、筺体の異なる面に分けて複数の視覚的報知部９を設けると、携帯電話機を机の上に置いたとき、いずれかの表示部を設けた面が隠れないようにできる。
発光表示手段には、ＬＥＤ等の任意の発光素子やＬＣＤ、ＥＬ（エレクトロルミネッセンス）等の表示手段を用いることができる。
【００２０】
ボタン表示手段は、ボタンと連動するソレノイドやリニアモータ等の駆動源（図示省略）を備え、制御部３からの制御信号によりこの駆動源を制御して、ボタンを筺体から突出表示（凸状態）または筺体内に埋没させて（凹状態）表示する。また、ボタンの頂部を筺体表面とおなじ表示（色、模様等）とし、筺体から突出したボタンの頂部を除く側面に頂部と異なる表示を施すこともできる。また、ボタンの頂部に盲人用の点字が浮き出るようにしてもよい。
【００２１】
以上説明した実施例における表示手段として、表示部と視覚的報知部の両方を制御部３に接続し、制御部３により選択的に又は組み合わせて制御できるように構成してもよい。
動きセンサの検出値（各Ａｘ，Ａｙ，Ａｚ、Ｂｘ，Ｂｙ，Ｂｚ軸方向の値）に基づいて携帯電話機の状態を判断するために、制御部３のテーブルに上記検出値と比較する基準値を設定する。また、同テーブルには、判断結果に従った着信報知手段の選択も設定されている。
【００２２】
制御部３の記憶手段のテーブルには、少なくとも、下記の管理情報がまとめられている。
（１）静止状態検出結果（移動中か、否か）、
（２）傾き検出結果（平坦か、否か）、
「平坦」は水平からの傾きの範囲がＭｚ軸方向±数度範囲を意味する。
（３）傾き検出結果（予め設定した傾き角度範囲か、否か）、
（４）定常状態での着信報知手段の設定（通常鳴動に設定）、
（５）マナーモード時の着信報知手段の設定（初期設定はバイブレータ振動手段に設定）。
（６）視覚的報知手段の設定（ボタン表示部か、発光表示部か）
ここで、「予め設定した傾き」とは、例えば、水平から±数度の範囲はもとより、ユーザが意識的に携帯端末を机の上に側面を接するようにして立てておいた角度を設定した場合には、動きセンサの傾き角度が水平から例えば９０度近辺の所定幅内の傾きを言い、また、充電器に装着した場合には、動きセンサの傾き角度が水平から充電器の傾き角度近辺の所定幅内の傾きを言う。
【００２３】
上記（１）は携帯電話機が静止状態か否かを動きセンサの検出値Ａｘ、Ａｙ、Ａｚに基づいて判断するものである。（２）は携帯電話機が机の上に水平（通常）に置かれている状態か否かを動きセンサの検出値Ｂｘ、Ｂｙ、Ｂｚにより判断するものである。そのために、Ｂｘ、Ｂｙ、Ｂｚの検出値と比較するために水平状態に等しい±数度の範囲の値（各Ｂｘ、Ｂｙ、Ｂｚ軸方向の値）を基準値として設定する。（３）は、携帯電話機を専用の置台に立掛ける場合、充電器にセットする場合、机の上に携帯電話機の側面を接するように立てて置いた場合等の状態を判断するために、当該状態に等しい傾き角を検出する基準値として、各Ｂｘ、Ｂｙ、Ｂｚ軸方向の値を設定するものである。また、任意の傾き、例えば、机の上に携帯電話機の側面を接するように立てて置く場合には、操作キーを押圧しながら、携帯電話機を所望の場所に置き、その状態で操作キーの押圧を解除し、その置いた状態の傾きを動きセンサの検出値Ｂｘ、Ｂｙ、Ｂｚとして設定するものである。（４）は、通常の鳴音報知としてよく知られているので説明を省略する、（５）は、通常振動のマナーモードの着信報知の設定、（６）は、本発明における、携帯電話機が机の上に置かれていると判断された場合の視覚的報知手段の設定である。視覚的報知手段としては、図４に示すような手段が有り、それぞれを選んで又は併用して設定できる。
【００２４】
次に、本発明の携帯電話機の状態判断を説明する。
携帯電話機が身体に装着され、又は鞄に収納されて携行されている場合、動きセンサの加速度検出出力のＡｘ、Ａｙ、Ａｚのいずれかが動きを検出するので、上記テーブル（１）の設定値から静止状態でないと判断する。それにより、着信時に、マナーモードが設定されている場合には、振動により着信を報知する。
次に、携帯電話機が、机の上に水平に置かれている場合、この状態には、加速度センサ検出出力値Ａｘ、Ａｙ、Ａｚは、静止状態を検出する。また、地磁気センサによる傾き検出は、机が水平であれば、Ｂｘ、Ｂｙ、Ｂｚはそれぞれｘ軸、ｙ軸、ｚ軸上にあることを検出する。なお、机の天板を傾けて使用したり、最初から傾斜している場合があるが、この場合、傾きセンサは当該傾きを検出するので、テーブル（２）の基準値（各Ｂｘ、Ｂｙ、Ｂｚ軸方向の値）をこれらの傾きに等しい範囲に設定する。これにより、机の上に平らに置かれた状態と判断される場合、着信時には、マナーモードの設定時の振動に代え、視覚的報知手段により着信を報知する。
次に、携帯電話機を机の上の専用置台、又は充電器等に対して立掛けた状態の場合、加速度センサ検出出力値Ａｘ、Ａｙ、Ａｚは、静止状態を検出する。また、地磁気センサによる傾き検出時、立掛けた状態の傾きを表すＢｘ、Ｂｙ、Ｂｚはそれぞれｘ軸、ｙ軸、ｚ軸上にあることを検出する。これにより、立掛けた状態と判断され、着信時には、マナーモードの設定時の振動に代え、視覚的報知手段により着信を報知する。
【００２５】
携帯電話機を任意の傾き、例えば、机の上に携帯電話機の側面を接するように立てて置く場合等の傾きの設定は、操作キーとして操作部８の任意のキーまたは所定のキーを押圧しながら、携帯電話機を所望の場所に置き、その状態で上記操作キーの押圧を解除し、その置いた状態の傾きを動きセンサの検出値Ｂｘ、Ｂｙ、Ｂｚとして設定することができる。
これにより、地磁気センサが上記机の上に携帯電話機の側面を接するように立てて置いた傾きを表すＢｘ、Ｂｙ、Ｂｚを検出することにより、上記机の上に携帯電話機の側面を接するように立てて置いた状態を判断し、着信時には、マナーモードの設定時の振動に代え、視覚的報知手段により着信を報知する。
次に、携帯電話機を鞄の中に収納した状態、又は上着のポケットにいれる等身体に着けて携行しているが静止状態の場合、加速度センサ検出出力値Ａｘ、Ａｙ、Ａｚは、静止状態を検出する。
一方、地磁気センサによる傾き検出は、鞄の中での収納状態、又はポケットの中での収納状態における携帯電話の姿勢の傾きを検出する。この場合、収納状態の携帯電話の姿勢が、机の上に水平に置かれた状態、又は充電器に置いた状態、予め設定した傾き状態と一致することは殆どないと考えられ、水平状態又は所定の傾きの範囲に当たるＢｘ、Ｂｙ、Ｂｚを検出することはない。これにより、着信時には、マナーモードの設定時の振動による報知手段により着信を報知する。
なお、鞄によっては前記「携帯端末の予め設定した傾き」内の角度を含む場合があるかもしれないが、それは極めて例外的と考えられる。
【００２６】
携帯電話機の使用者が、操作部８を操作して、マナーモード時の着信報知手段をバイブレータ振動による着信報知モードに設定してある場合の携帯電話機の動作について説明する。
着信があった際、着信報知を受けた制御部３は、動き検出部６より移動状態の情報、例えば、携帯電話機を、鞄等に収納、あるいは身につけている場合等で、端末が移動状態となっていることを加速度等のセンサの検出値から検出したときには、着信報知手段としてバイブレータ５が動作する。使用者が、会議中等の理由により、携帯電話機を机の上等に水平に置いていた場合には、制御部３は、端末の加速度センサが検出し、かつ、傾きセンサが静止状態となっていることを動き検出部６により検出し、着信報知を表示部７や視覚的報知部９（ボタン表示部９1，発光表示部９2）により行う。表示部７は、ＬＣＤやＥＬ等の表示、ＬＥＤ点灯や点滅といった表示により、使用者に着信を報知する。また、視覚的報知部９は、着信報知状態である筐体から表示ボタンを突出（凸状態）または筐体内に埋没状態（凹状態）に変化させて報知する。
また、制御部３は、端末が特定の傾き状態となっていることを傾き検出部１０により水平面からの所定傾きまたは設定した傾きとして検出し、着信報知を表示部７や視覚的報知部９により行う。
【００２７】
図２は、本発明の実施例のフローチャートである。
（静止状態と、特定の傾きを判断の場合）
携帯端末の静止状態と、予め設定した傾きを判断して視覚的報知を行うための制御部３の制御動作を図２のフローチャートに基づき説明する。
（１）まず、制御部３は、記憶手段のテーブルを調べ、マナーモード時の着信報知の設定がバイブレータ振動による着信報知モード中か否か判断する。バイブレータ振動による着信モード中のときはステップＳ２へ進む。バイブレータ振動による着信モード中でないときは、ステップＳ６の通常着信動作処理へ進む（ステップＳ１）。
（２）ステップＳ１において、マナーモード時の着信報知の設定がバイブレータ振動による着信報知モードになっているとき、着信があったか否か（着信信号を受信したか否か）を判断し、着信があったときはステップＳ３へ進む。着信がない場合には、ステップＳ１へ進む（ステップＳ２）。
（３）ステップＳ２において、着信信号があったと判断したとき、動き検出部６の検出情報から携帯端末が静止中か否か判断し、携帯端末が静止中と判断したとき、ステップＳ４へ進み、携帯端末が静止中でないときはステップＳ７へ進む（ステップＳ３）。
（４）ステップＳ３において、携帯端末が静止中のとき、傾き検出部６の検出情報から携帯端末が予め設定した傾き角度範囲内となっているか否か判断する。予め設定した傾き角度範囲内のときはステップＳ５へ進み、予め設定した傾き角度範囲内でないときはステップＳ７へ進む（ステップＳ４）。
【００２８】
（５）ステップＳ４において、携帯端末の傾きが予め設定した傾き角度範囲内になっていると判断したとき、視覚的着信報知手段により着信を報知し、終了する。
（６）ステップＳ１において、着信設定がバイブレータ振動による着信報知モード中ではないと判断されたとき、通常着信動作処理を行う（ステップＳ６）。
（７）ステップＳ３において、携帯端末が静止中でないとき、および、ステップＳ４において、携帯端末の傾きが予め設定した傾き角度範囲内にないとき、着信報知をバイブレータの振動とし、終了する。
なお、ステップＳ５において、視覚的着信表示手段として表示部７や視覚的報知部９を用いた表示手段とすることは、バイブレータ振動以外の着信報知手段の選択により行うことができる。
【００２９】
以上の説明から明らかなように、本発明の携帯端末は、携帯端末に着信時の報知手段と
して振動による報知手段と視覚に訴える視覚的報知手段を設け、該携帯端末の動きを感知する動きセンサを設け、着信時に、上記センサが該携帯端末の静止状態を検出し、かつ、当該端末の傾きが予め設定した傾きと等しい範囲内の状態を検出している場合、前記振動による報知手段に代えて視覚に訴える手段により報知させる構成を有する。
これにより、着信時、携帯端末が静止状態であり、且つ、その傾きが予め設定した傾きと等しい範囲内の場合という条件によって、振動による着信報知ができない状況を適切に判断することができる。したがって、振動による着信報知ができない会議中のような場合に携帯端末が机の上で振動して騒音を発生するようなことが防止でき、振動による着信報知が必要な携帯端末を鞄の中に入れている場合には適切に振動による着信報知ができるようになる。
【００３０】
また、机の上に携帯端末の側面を接するように立てて置く場合等の任意の傾きに置く場合には、操作キーを押圧しながら、携帯端末を所望の場所に置き、その状態で操作キーの押圧を解除し、その置いた状態の傾きを動きセンサの検出値Ｂｘ、Ｂｙ、Ｂｚとして設定する。これによると、振動による着信報知モードと、視覚に訴える着信報知モードの切り替えが、端末の置き方を変えるだけで可能となるため、モード切替操作が簡易になる。なお、上記の傾き設定時の操作キーを操作部８のキーとは別に設けることは任意である。
携帯端末の傾きを設定できるので、端末の置き方の制限を少なくできる。
また、携帯端末が所定の傾きまたはユーザが設定した傾きとなったことを判断する条件を加味することにより、ユーザの使い勝手を向上し、より精度よく適切に静止中を判断して振動以外の視覚に訴える着信報知手段を適用することができる。
【００３１】
視覚的報知手段を発光表示手段としたので、振動を伴うことなく、発光光によって明瞭に着信を表示することができる。
視覚的報知手段を凸状態と凹状態に状態を変化させるボタン表示手段としたので、ボタンの凸状態や凹状態として明瞭に認識できる。また、自然光によるボタンの表示なので、周りの人に注目されることがなくユーザに表示することができる。
予め設定した傾きを、携帯端末を置く机の傾きとすることにより、机の上に携帯端末を置いたときには必ず振動による着信報知以外の視覚的着信報知手段とすることができ、机の上を携帯端末がはねるという不測の事態の発生を防止できる。
予め設定した傾きを、携帯端末が置かれる状態の傾きとしたことにより、例えば、充電器に装着した状態では振動による着信報知がないので、端末が充電器からころがり落ちることが無くなり、状況に合わせた適切な着信報知ができるようになる。
【図面の簡単な説明】
【００３２】
【図１】本発明の実施例に係る携帯電話機の構成を示すブロック図である。
【図２】本発明の実施例に係る携帯電話機の着信処理の手順を示したフロー図である。
【図３】動きセンサで検出できる携帯電話機の動きを説明する図である。
【図４】本発明の視覚的報知手段の説明図である。
【符号の説明】
【００３３】
１…アンテナ、２…無線部、３…制御部、４…スピーカ、５…バイブレータ、６…動き検出部、７…表示部、８…操作部、９…視覚的報知部、１０…傾き検出部。
【図１】
2008092164.tif 000003
【図２】
2008092164.tif 000004
【図３】
2008092164.tif 000005
【図４】
2008092164.tif 000006